(57)【特許請求の範囲】
【請求項１】
地下躯体を逆打ち工法で構築する際に使用される地下階段であって、本設地下鉄骨階段と、その本設地下鉄骨階段の下部に着脱可能に取り付けられると共に本設地下鉄骨階段が地下躯体の最終階に到達すると撤去される仮設吊り階段と、上記本設地下鉄骨階段の下部に、躯体に設けられた階段用の開口部を退避可能に取り付けられる仮受け梁とを備えて、該仮受け梁は、本設地下鉄骨階段を下方に移動する際に上記開口部から一時的に退避され、かつ構築が完了した地下階の床の面に対し当該仮受け梁を預けることで当該地下階の床に上記本設地下鉄骨階段が支持されることを特徴とする地下階段。
【請求項２】
上記構築が完了した地下階の床の面が更新される度に上側に積層するようにして構築可能となっていることを特徴とする請求項１に記載した地下階段。
【請求項３】
上記本設地下鉄骨階段の構築された床への支持は、当該本設鉄骨階段に階段用の開口部を待避可能に取り付けられた上記仮受け梁によって行われることを特徴とする請求項１又は請求項２に記載した地下階段。
【請求項４】
上記仮設吊り階段は、下方に向けて伸長及び折り畳み自在に構成されていることを特徴とする請求項１〜請求項３のいずれかに記載した地下階段。
【請求項５】
順次地下掘削をしながら、地下躯体の各階の床を上階から下階に向けて順次構築する際に、上記構築した床の少なくとも一つの床に対し、本設地下鉄骨階段を支持させる地下階段の設置方法であって、上記本設地下鉄骨階段の下部に仮設吊り階段を取り付けると共に、上記本設地下鉄骨階段を支持する床を、上記地下掘削の進捗に合わせ、順次、構築された一番下側の床に変更して当該本設地下鉄骨階段を下方に移動させることを特徴とする地下階段の設置方法。
【請求項６】
上記本設地下鉄骨階段は、上記支持する床の変更に同期をとって上側に積層するようにして順次構築されることを特徴とする請求項５に記載した地下階段の設置方法。
【請求項７】
上記本設地下鉄骨階段を、地上階の床にも支持させることを特徴とする請求項５〜請求項６のいずれかに記載した地下階段の設置方法。
【請求項８】
上記仮設吊り階段は、折り畳み自在に構成され、本設地下鉄骨階段よりも下方の地下掘削に応じて伸展されることを特徴とする請求項５〜請求項７のいずれかに記載した地下階段の設置方法。
【発明の詳細な説明】
【０００１】
【発明の属する技術分野】
本発明は、地下躯体を逆打ち工法で構築する際に使用される地下階段及び地下階段の設置方法に関するものである。
【０００２】
【従来の技術】
地下躯体を構築する工法として逆打ち工法がある。この逆打ち工法は、地下掘削と共に地下躯体の床、梁、柱を施工し、これに土圧などを負担させながら順次掘り下げていく工法である。このとき、上記地下掘削部や構築された地下躯体部分に昇降するために、一般には、各階層毎に連続したチェーン式の仮設吊り階段が使用されている。
【０００３】
また、特開平７−７６９１４号公報には、上記地下掘削及び地下躯体構築時の昇降手段として、本設の地下鉄骨階段を先行利用する方法が開示されている。
この公報に記載の方法は、先行して構築した地上１階部の床に対し、本設鉄骨階段を遊挿可能な開口部を形成すると共に、当該床に、本設鉄骨階段を吊り下げ状態で保持するための複数のブラケットを、開口部側に若干突出するようにして仮設する。そして、上記開口部に上側から本設鉄骨階段を挿入すると共に、上記ブラケットの先端部に対し、本設鉄骨階段の鋼製支柱側面をそれぞれボルト接合で連結して当該本設鉄骨階段を吊り下げ状態に保持させることを繰り返しながら、随時、地下掘削の進捗に応じて、当該本設鉄骨階段を下方に挿入させると共に、仮設利用することで、従来の仮設昇降設備を無用若しくはごく僅かに削減せんとするものである。なお、上記本設鉄骨階段の吊り位置は、下方に移動しても地上床位置に固定される。
【０００４】
【発明が解決しようとする課題】
しかしながら、仮設の昇降設備だけを使用した場合は、仮設に対する費用が嵩むほか、全ての地下躯体の構築が完了した後に、昇降設備を解体して本設鉄骨階段を新たに組み立てることとなる。このことは、その分、施工時間が長くなる原因になる。さらに、上記本設鉄骨階段を組み立てるための仮設設備が必要であると共に、上記組立てが高所作業になる結果、安全確保の設備に多大なコストと時間が必要となる。
【０００５】
また、上記特開平７−７６９１４号公報の施工方法では、本設鉄骨階段を地上１階の床から吊り下げた状態で、当該本設鉄骨階段を昇降設備としてできるだけ仮設利用するため、地下掘削が深くなるほど、上記吊り下げられている本設鉄骨階段が揺れ易くなって、仮設利用時の不安定感が大きくなると共に、構築した地下躯体部分とも干渉し易くなる分、上記開口断面を大きく設定する必要がある。
【０００６】
また、クレーンで吊って本設鉄骨階段を下方に挿入し、再度、吊り下げ保持状態に設置する際に、クレーンで吊り下げた状態で、本設鉄骨階段の支柱に設けたボルト孔とブラケットにボルト孔とが横方向で確実に対向するように位置調整を行い、且つそのクレーンによる吊り状態で、ボルトを貫通させてボルト止めする作業を行う必要があり、随時下方に移動させて吊り下げ保持する位置を変更する際の作業が面倒である。
【０００７】
また、掘削及び地下躯体構築の進行中に、上述のように不安定感のある本設鉄骨階段をできるだけ仮設利用に供し且つ仮設昇降設備を出来るだけ使用しないという発想であるため、施工中に、掘削重機による破損の恐れがあるとともに、工事中の土やコンクリートによる本設鉄骨階段の汚染並びに傷等が避けられず、清掃や補修のための手間やコストが掛かるおそれもある。
【０００８】
本発明は、上記のような点に着目してなされたもので、地下掘削及び地下躯体構築工事の進捗に合わせて安定した本設鉄骨階段の設置が出来ると共に、たとえ本設地下鉄骨階段を仮設利用しても損傷などを抑止可能な本設地下階段の設置方法を提供することを課題としている。
【０００９】
【課題を解決するための手段】
上記課題を解決するために、本発明のうち請求項１に記載した発明は、地下躯体を逆打ち工法で構築する際に使用される地下階段であって、本設地下鉄骨階段と、その本設地下鉄骨階段の下部に着脱可能に取り付けられると共に本設地下鉄骨階段が地下躯体の最終階に到達すると撤去される仮設吊り階段と、上記本設地下鉄骨階段の下部に、躯体に設けられた階段用の開口部を退避可能に取り付けられる仮受け梁とを備えて、該仮受け梁は、本設地下鉄骨階段を下方に移動する際に上記開口部から一時的に退避され、かつ構築が完了した地下階の床の面に対し当該仮受け梁を預けることで当該地下階の床に上記本設地下鉄骨階段が支持されることを特徴とするものである。
【００１０】
ここで、仮受け梁を預ける床は、最新に構築された床、つまり一番下側の床であることが好ましい。
そして、地下躯体の下方に向けた構築に合わせて、上記仮受け梁を支持する床が変更されるようにして使用される。
次に、請求項２に記載した発明は、請求項１に記載した構成に対し、上記構築が完了した地下階の床の面が更新される度に上側に積層するようにして構築可能となっていることを特徴とするものである。
【００１１】
次に、請求項３に記載した発明は、請求項１又は請求項２に記載した構成に対し、上記本設地下鉄骨階段の構築された床への支持は、当該本設鉄骨階段に階段用の開口部を待避可能に取り付けられた上記仮受け梁によって行われることを特徴とするものである。
次に、請求項４に記載した発明は、請求項１〜請求項３のいずれかに記載した構成に対し、上記仮設吊り階段は、下方に向けて伸長及び折り畳み自在に構成されていることを特徴とするものである。
【００１２】
次に、請求項５に記載した発明は、順次地下掘削をしながら、地下躯体の各階の床を上階から下階に向けて順次構築する際に、上記構築した床の少なくとも一つの床に対し、本設地下鉄骨階段を支持させる地下階段の設置方法であって、上記本設地下鉄骨階段の下部に仮設吊り階段を取り付けると共に、上記本設地下鉄骨階段を支持する床を、上記地下掘削の進捗に合わせ、順次、構築された一番下側の床に変更して当該本設地下鉄骨階段を下方に移動させることを特徴とするものである。
【００１３】
ここで、上記仮設吊り階段は、本設鉄骨階段に対し、着脱自在に取り付けられることが好ましい。
本発明によれば、本設地下鉄骨階段を下方に挿入するにつれて、支持位置を下方に移動させることで、当該挿入された本設地下鉄骨階段の安定性が良くなる。
また、挿入された本設地下鉄骨階段の下部に仮設の吊り階段を取り付けてあるので、本設地下鉄骨階段よりも下方階である掘削や躯体構築の工事中の階には、構築完了した階などから、仮設の吊り階段を利用することができる。この結果、特に汚れやすい作業の掘削時の土や躯体構築時のコンクリートによる本設鉄骨階段の汚染並びに傷等を防止することも可能である。
【００１４】
さらに、上記仮設の吊り階段が取り付けられていることから、挿入された本設地下鉄骨階段から下方への昇降は、当該仮設吊り階段を利用すればよいので、挿入された本設地下鉄骨階段と現在の掘削位置との高さ方向の距離に対する自由度が比較的大きく、地下掘削の進捗に応じた上記本設地下鉄骨階段の下方への移行作業を減らすことも可能である。
【００１５】
また、挿入した本設鉄骨階段における、支持位置よりも下方への突出量を短くすることができる。
【００１６】
次に、請求項６に記載した発明は、請求項５に記載した構成に対し、上記本設地下鉄骨階段は、上記支持する床の変更に同期をとって上側に積層するようにして順次構築されることを特徴とするものである。
ここで、上部上方へ積層される階段は、必ずしも１階分の鉄骨階段にこだわらず、高さ条件に適合した分の半階分あるいは二階分のものであってもよい。
【００１７】
本発明によれば、挿入される本設地下鉄骨階段の構築の効率化を図ることができる。
次に、請求項７に記載した発明は、請求項５〜請求項６のいずれかに記載した構成に対し、上記本設地下鉄骨階段は、地上階の床にも支持されることを特徴とするものである。
【００１８】
本発明によれば、挿入される本設地下鉄骨階段の支持の安定性が向上する。
次に、請求項８に記載した発明は、請求項５〜請求項７のいずれかに記載した構成に対し、上記仮設吊り階段は、折り畳み自在に構成され、本設地下鉄骨階段よりも下方の地下掘削に応じて伸展されることを特徴とするものである。
【００１９】
【発明の実施の形態】
次に、本発明に実施形態について図面を参照しつつ説明する。
図１は、本実施形態に係る本設地下鉄骨階段の構造、及びその設置の施工手順を説明するための図である。
建物の地下躯体工事に逆打工法を採用し、まず、建物地下外周に山止めを施し構真柱を施工して、先行作業床の地上１階部分の床４および床梁を構築する。この地上１階部分の床４に対し、図２に示すように、本設地下鉄骨階段２０を設置のための開口部１を形成する。なお、構築する各地下階の床についても同様な開口部を形成する。
【００２０】
また、上記施工と同時若しくは前後して、本設地下鉄骨階段の最下階部分を、地下階段２０の第１層分Ａとして地上部で組み立てる。また、図３に示すように、当該地下階段２０第１層分Ａの４隅に位置する支柱２の下部に対し、それぞれ仮受け梁３を、ボルト止めで取付け外方向に突設させておく。
その地下階段２０の第１層分Ａの下部に対し、スーパーラダー（商品名）のような折り畳み式仮設吊り階段５を吊り下げた状態で、当該第１層分Ａの地下階段２０を吊り上げ、上記地上１階部分の床４に預ける。すなわち、上記各仮受け梁３を上記構築した地上１階部の床４の面に載せることで、上記第１層分の本設地下鉄骨階段２０を当該地上１階の床４の上に支持させる（図１（ａ）参照）。
【００２１】
このとき、地下階段２０の横ずれを防止するために、上記仮受け梁３を床４にアンカーボルト等で固定することが好ましい。
また、上記仮設の吊り階段５の取付けは、地下階段２０の第１層分Ａを地上１階部分の床４に預けてから取り付けても良い。
また、上記第一層分Ａは、必ずしも１階分の鉄骨階段にこだわらず、高さ条件に適合した分の半階分あるいは二階分のものであっても良い。また、地下階の全層分を第１層分として先行して組み立てても良い。
【００２２】
次に、第１次の地下掘削（Ｘ部分）を行うと共に、地下１階部分の地下躯体の構築を行う。
すなわち、図１（ｂ）に示すように、第１次の地下掘削（Ｘ部分）の進捗に応じて折畳式仮設吊り階段５を順次吊り下げ、第１次地下掘削部の床付けを行う。その後、上記仮設吊り階段５を昇降設備として利用しつつ、捨てコンクリートの打設などの施工を行い、地下１階部の床６、床梁７、柱、内外壁などの地下躯体構築を行う（図１（ｃ）参照）。
【００２３】
また、上記第１次の地下掘削や地下１階部分の躯体構築に前後して、鉄骨階段の第２層分Ｂを組み立て、上記第１層分Ａの上部に取付け一体化させる。
続いて、上記地下階段２０をクレーンで吊り上げて、一旦、上記仮受け梁３を取り外し、その後、当該地下階段２０を下方に移動し、再び仮受け梁３を元の場所に取り付ける。また、別途、地上１階床面相当の支柱２の位置に対し、上側の仮受け梁７を取り付ける。そして、下側の仮受け梁３を地下１階部の床６の面に載せると共に、上側の仮受け梁７を地上１階部の床面に載せることで、地下階段２０を上下二箇所で支持する（図１（ｄ）参照）。
【００２４】
ここで、地上１階部の仮受け梁７については、地下１階部の床６に下側の仮受け梁３を載せて一旦地下階段２０を支持させた後に、取り付けることが好ましい。この上側の仮受け梁７は、下側の仮受け梁３を中心とした本設地下鉄骨階段の振れを防止するために設けるものである。
また、上記地下階段２０の下方への移動に応じて、下側の仮設吊り階段５を折り畳む。該仮設吊り階段５の折り畳みは、地下階段２０の下方への移動の前に行っても良いし、下方への移動に合わせて行っても良い。
【００２５】
また、上記上側の仮受け梁３の取付け位置が、地下階段２０の第１層分Ａの場合には（図１（ｄ）参照）、上記第２層部Ｂの地下階段２０の取付けを、第１層部Ａの地下階段２０を地下１階の床６に支持させた後に行っても良い。
続いて、第２次の掘削及び下階の躯体構築作業を行い、下階の躯体構築が完了したら、上述と同様に、地下階段２０を下方に移動して、下階の床に支持させると共に、地上１階の床４にも振れ止めのために支持させる。この施工手順を順次繰り返して、下階の地下躯体を構築していくと共に、地下階段２０を下方に移動させていく。
【００２６】
ここで、上記仮受け梁３、７による支持位置は、構築が完了した最下階の床と地上階の床との２箇所でも良いが、途中階の床にも、仮受け梁によって支持させても良い。
また、下側の支持位置は、常に、構築が完了した最下階の床に必ずしも設定する必要がない。例えば、下方に向けて数階分の地下躯体を構築する毎に、地下階段２０を下方に移動させるようにしても良い。掘削部への昇降については、仮設の吊り階段５の伸展で対応すれば良い。
【００２７】
また、上記実施形態では、下側の仮受け梁３を、地下階段２０の支柱２の側面におけるフランジに取り付ける例を示したが、これに限定されない。例えば、図２中一点鎖線で示すように支柱のウエブに仮受け梁３′を固定しても良い。また、上記仮受け梁３は、地下階段２０の支柱２にボルト止めする代わりに地下階段２０の梁部分にボルト止めして取り付けても良い。
【００２８】
さらに、図４に示すように、支柱下端のベースプレート１０の下面に対し、上下に対向させて仮受け梁３を固定しても良い。この場合には、仮受け梁３は、ベースプレート１０と上下に対向しているので、ベースプレート１０との接合ボルトを一つとした状態とし、当該接合ボルトを中心に仮受け梁３を横方向に回転させて地下階段２０内に収容させることで、移動の度に仮受け梁３を鉄骨階段から取り外す必要がないようにしても良い。なお、仮受け梁３の構造が、支柱２にボルト止めされると共に、水平方向に回転可能な構造となっていても良い。
【００２９】
なお、本設地下鉄骨階段２０が地下躯体の最終層に到達する場合には、当該本設鉄骨階段２０の下部に設けて使用した仮設吊り階段５を撤去するとともに、階段２０から仮受け梁３を取り外してから、当該本設鉄骨階段２０を最終設置位置まで降下させ、本設鉄骨階段２０の支柱２下端部を基礎躯体に一体化して固定するとともに、構築が完了した地下躯体の適所に本設鉄骨階段２０の躯体定着部を固定させ、正規の鉄骨階段として設置を完了する。
【００３０】
【発明の効果】
以上説明してきたように、本発明を採用することで、本設地下鉄骨階段の設置が、地下掘削及び地下躯体の構築の進捗に応じてできると共に、当該本設地下鉄骨階段を仮設の昇降設備として利用しても、安定した仮設の昇降設備を提供することができるという効果がある。
また、掘削及び躯体構築の工事中の階にについては、仮設の吊り階段を使用しているので、特に汚れやすい作業の掘削時の土や躯体構築時のコンクリートによって本設鉄骨階段の汚染並びに傷等を抑えることができるという効果もある。
【図面の簡単な説明】
【図１】本発明に基づく実施形態に係る施工手順を示す図である。
【図２】本発明に基づく実施形態に係る支持構造を示す平面図である。
【図３】本発明に基づく実施形態に係る支持構造を示す側面図である。
【図４】本発明に基づく実施形態に係る支持構造の別例を示す側面図である。
【符号の説明】
１    開口部
２    本設地下鉄骨階段の支柱
３    仮受け梁
４    地上１階部の床
５    仮設吊り階段
６    地下１階の床
７    上側の仮受け梁
１０  ベースプレート
２０  本設地下鉄骨階段
【図１】
0003623490.tif 000002
【図２】
0003623490.tif 000003
【図３】
0003623490.tif 000004
【図４】
0003623490.tif 000005